(57)【要約】【課題】ユーザによる画像鑑賞に大きな影響を与えることなく関連情報を送信することの可能な情報提供システム、画像表示装置、情報提供方法及びプログラムを提供する。【解決手段】画像表示装置に、表示画面を４つの領域に分割し、提供すべき情報に基づいて、４分割された領域にそれぞれ表示する分割画像の輝度値または色差値の少なくとも一方を変化させることで、情報を構成する単位情報を画像内に埋め込む情報埋め込み部を設け、表示部が情報埋め込み部により単位情報が埋め込まれた画像を表示画面に表示し、情報処理装置に、撮像部が出力する撮像画像のうち、領域に対応する４つの分割撮像画像を比較し、比較結果に応じて単位情報を抽出して情報を得る情報抽出部を設ける。【選択図】図４
2014131195.tif 000002
【特許請求の範囲】
【請求項１】
表示画面に画像を表示する表示部を有する画像表示装置と、前記表示画面を撮像して撮像画像を出力する撮像部を有する情報処理装置とを備え、前記画像表示装置から前記情報処理装置へ情報を提供する情報提供システムにおいて、
前記画像表示装置は、前記表示画面を４つの領域に分割し、提供すべき前記情報に基づいて、４分割された前記領域にそれぞれ表示する分割画像の輝度値または色差値の少なくとも一方を変化させることで、前記情報を構成する単位情報を前記画像内に埋め込む情報埋め込み部を備え、
前記表示部は前記情報埋め込み部により単位情報が埋め込まれた前記画像を前記表示画面に表示し、
前記情報処理装置は、前記撮像部が出力する前記撮像画像のうち、前記領域に対応する４つの分割撮像画像を比較し、比較結果に応じて前記単位情報を抽出して前記情報を得る情報抽出部を備える
ことを特徴とする情報提供システム。
【請求項２】
前記情報処理装置は、外部ネットワークとの通信を行う通信部を備え、
前記通信部は、前記情報抽出部により抽出した前記情報を前記外部ネットワークに存在するサーバに送信し、前記サーバはこの情報に対応する付加情報を前記情報処理装置に送信する
ことを特徴とする請求項１記載の情報提供システム。
【請求項３】
前記情報埋め込み部は、前記領域のうち１つの領域を基準領域としてそれ以外の領域にそれぞれ表示する前記分割画像の輝度値または色差値の少なくとも一方を変化させることで、前記情報を構成する単位情報を前記画像内に埋め込むことを特徴とする請求項１または２に記載の情報提供システム。
【請求項４】
前記情報処理装置は、前記分割撮像画像の輝度値または色差値の変化を検出することで前記基準領域に対応する前記分割撮像画像を判定する領域判定部を備え、
前記情報抽出部は、前記領域判定部により判定された、前記基準領域に対応する前記分割撮像画像の輝度値または色差値の変化に基づいて前記単位情報を抽出して前記情報を得る
ことを特徴とする請求項３記載の情報提供システム。
【請求項５】
前記情報埋め込み部は、４分割された前記領域にそれぞれ表示する前記分割画像の輝度値を変化させることで、前記情報を構成する単位情報を前記画像内に埋め込み、
前記情報抽出部は、前記領域判定部により判定された、前記基準領域に対応する前記分割撮像画像を基準として、それ以外の３つの分割撮像画像のうち中間の輝度値を有する分割撮像画像を検出し、この中間の輝度値を有する分割撮像画像に基づいて前記情報を抽出する
ことを特徴とする請求項４記載の情報提供システム。
【請求項６】
前記情報埋め込み部は、４分割された前記領域にそれぞれ表示する前記分割画像の輝度値を変化させることで、前記情報を構成する単位情報を前記画像内に埋め込む
ことを特徴とする請求項１〜４のいずれかに記載の情報提供システム。
【請求項７】
前記情報埋め込み部は、前記分割画像の中央部の輝度値を変化させることで前記情報を構成する単位情報を前記画像内に埋め込む
ことを特徴とする請求項６記載の情報提供システム。
【請求項８】
前記情報埋め込み部は、前記分割画像の輝度値を周期的に変化させることで、複数の前記単位情報からなる情報を前記画像内に埋め込む
ことを特徴とする請求項６記載の情報提供システム。
【請求項９】
前記通信部は、前記情報抽出部により得られた前記情報を変換して前記サーバに送信する
ことを特徴とする請求項２記載の情報提供システム。
【請求項１０】
前記情報埋め込み部は、前記表示画面を４つの領域を一単位とする複数の領域に分割し、前記単位毎に、提供すべき前記情報に基づいて、４分割された前記領域にそれぞれ表示する分割画像の輝度値または色差値の少なくとも一方を変化させることで、前記情報を構成する単位情報を前記画像内に埋め込む
ことを特徴とする請求項１〜９のいずれかに記載の情報提供システム。
【請求項１１】
表示画面に画像を表示する表示部を備え、前記表示画面を撮像する情報処理装置へ情報を提供する画像表示装置であって、
前記表示画面を４つの領域に分割し、提供すべき前記情報に基づいて、４分割された前記領域にそれぞれ表示する分割画像の輝度値または色差値の少なくとも一方を変化させることで、前記情報を構成する単位情報を前記画像内に埋め込む情報埋め込み部を備えることを特徴とする画像表示装置。
【請求項１２】
表示画面に画像を表示する画像表示装置と、前記表示画面を撮像する情報処理装置とを用い、前記画像表示装置から前記情報処理装置へ情報を提供する情報提供方法であって、
前記表示画面を４つの領域に分割し、提供すべき前記情報に基づいて、４分割された前記領域にそれぞれ表示する分割画像の輝度値または色差値の少なくとも一方を変化させることで、前記情報を構成する単位情報を前記画像内に埋め込む工程と、
前記単位情報が埋め込まれた前記画像を前記表示画面に表示する工程と、
前記表示画面を撮像して撮像画像を得る工程と、
前記表示画面を撮像して得られた前記撮像画像のうち、前記領域に対応する４つの分割撮像画像を比較し、比較結果に応じて前記単位情報を抽出して前記情報を得る工程と
を備えることを特徴とする情報提供方法。
【請求項１３】
表示画面に画像を表示する表示部を備え、前記表示画面を撮像する情報処理装置へ情報を提供するコンピュータにより実行されるプログラムであって、
このプログラムがコンピュータにより実行されると、
前記表示画面を４つの領域に分割する工程と、
提供すべき前記情報に基づいて、４分割した前記領域にそれぞれ表示する分割画像の輝度値または色差値の少なくとも一方を変化させることで、前記情報を構成する単位情報を前記画像内に埋め込む工程と
を前記コンピュータに実行させることを特徴とするプログラム。
【発明の詳細な説明】
【技術分野】
【０００１】
本発明は、表示画面を有する画像表示装置とこの表示画面を撮像する情報処理装置とを用いて、画像表示装置から情報処理装置へ情報を提供する情報提供システム、画像表示装置、情報提供方法及びプログラムに関する。
【背景技術】
【０００２】
ＴＶやインターネットのＨＰ等を通じて、ユーザが多種多様な画像、動画（以下の説明では「画像」という単語で代表して説明する）を視聴する機会が増加している。このような画像には様々な情報が含まれており、画像提供者側からも、また、ユーザからも、ユーザが画像に関連する情報を入手して次の行動の際に参考にする要望が高まっている。一例として、ＴＶにおいて飲食店に関する紹介番組が放送された場合、放送事業者もこの飲食店に関する情報、例えば飲食店のＨＰのＵＲＬ（Uniform Resource Locator）を視聴者に提供することで、紹介番組自体の価値を高めることができ、一方、視聴者であるユーザも、この紹介番組で紹介された飲食店に興味を持った場合、飲食店に関する情報を容易に入手できれば、紹介番組を次も視聴する意欲が高まる。
【０００３】
しかしながら、画像提供者側及びユーザ側ともに上述のように画像に関連する情報の提供及び入手に関する要望があったものの、画像提供者からユーザに対して画像に関する情報を提供する手段としては、例えば、上述の例であれば、画像中に飲食店のＨＰのＵＲＬを表記するか、あるいは、紹介番組そのもののＨＰに飲食店のＨＰのＵＲＬのリンクを提供するか、といった間接的な提供手段にとどまっていた。従って、ユーザは飲食店のＨＰのＵＲＬをメモしてこのＵＲＬをＰＣ等に手入力するか、あるいは、ユーザが別途ＰＣ等を起動させて紹介番組のＨＰにアクセスして飲食店のＨＰのＵＲＬのリンクを操作するか、いずれにしてもユーザにとって煩雑な作業を強いるものであった。すなわち、ユーザが画像に関連する情報を直接的に入手することが困難であった。
【０００４】
画像に関連する情報をユーザが直接的に入手する手法として、この画像に情報そのものを埋め込むことが考えられる。このような画像に情報を埋め込む技術としては、画像の無断複製の際にその出所を明確にする目的で開発された電子透かし（ウォーターマーク）技術が知られている（例えば特許文献１、２参照）。
【先行技術文献】
【特許文献】
【０００５】
【特許文献１】特表２００６−５１７０６８号公報
【特許文献２】特開２００４−５６４１４号公報
【発明の概要】
【発明が解決しようとする課題】
【０００６】
しかしながら、上述した従来の電子透かし技術では、埋め込まれた情報が画像に対するノイズとしてユーザに知覚される可能性があり、画像の視聴に影響を与える可能性があった。加えて、従来の電子透かし技術では、画像を解析して情報を復元する作業が大掛かりになり、一般ユーザが所有する機器への適用には一定の障壁が存在していた。
【０００７】
本発明は上述した課題に鑑みて為されたもので、ユーザによる画像鑑賞に大きな影響を与えることなく関連情報を送信することの可能な情報提供システム、画像表示装置、情報提供方法及びプログラムの提供をその目的の一つとしている。また、本発明は、送信された関連情報を簡易な作業で取得することの可能な情報提供システム、画像表示装置、情報提供方法及びプログラムの提供もその目的の一つとしている。
【課題を解決するための手段】
【０００８】
本発明は、表示画面に画像を表示する表示部を有する画像表示装置と、表示画面を撮像して撮像画像を出力する撮像部を有する情報処理装置とを備え、画像表示装置から情報処理装置へ情報を提供する情報提供システムに適用される。そして、画像表示装置に、表示画面を４つの領域に分割し、提供すべき情報に基づいて、４分割された領域にそれぞれ表示する分割画像の輝度値または色差値の少なくとも一方を変化させることで、情報を構成する単位情報を画像内に埋め込む情報埋め込み部を設け、表示部が情報埋め込み部により単位情報が埋め込まれた画像を表示画面に表示し、情報処理装置に、撮像部が出力する撮像画像のうち、領域に対応する４つの分割撮像画像を比較し、比較結果に応じて単位情報を抽出して情報を得る情報抽出部を設けることで、上述した課題の少なくとも一つを解決している。
【０００９】
情報埋め込み部は、４分割された領域にそれぞれ表示する分割画像の輝度値または色差値の少なくとも一方を変化させることで、情報を構成する単位情報を画像内に埋め込み、情報抽出部は、撮像部が出力する撮像画像のうち、領域に対応する４つの分割撮像画像を比較し、比較結果に応じて単位情報を抽出して情報を得る。このように、本発明では分割画像の輝度値または色差値の少なくとも一方を変化させることで、画像表示装置から情報処理装置へ情報を提供している。
【００１０】
ここで、情報処理装置に外部ネットワークとの通信を行う通信部を設け、この通信部が、情報抽出部により抽出した情報を外部ネットワークに存在するサーバに送信し、サーバはこの情報に対応する付加情報を情報処理装置に送信することが好ましい。
【００１１】
また、情報埋め込み部は、領域のうち１つの領域を基準領域としてそれ以外の領域にそれぞれ表示する分割画像の輝度値または色差値の少なくとも一方を変化させることで、情報を構成する単位情報を画像内に埋め込むことが好ましい。
【００１２】
さらに、情報処理装置に、分割撮像画像の輝度値または色差値の変化を検出することで基準領域に対応する分割撮像画像を判定する領域判定部を設けることが好ましく、この場合、情報抽出部は、領域判定部により判定された、基準領域に対応する分割撮像画像の輝度値または色差値の変化に基づいて単位情報を抽出して情報を得ることが好ましい。
【００１３】
さらに、情報埋め込み部は、４分割された領域にそれぞれ表示する分割画像の輝度値を変化させることで、情報を構成する単位情報を画像内に埋め込むことが好ましく、このように情報埋め込み部が分割画像の輝度値を変化させることで情報を構成する単位画像を画像内に埋め込んだ場合は、さらに、情報抽出部が、領域判定部により判定された、基準領域に対応する分割撮像画像を基準として、それ以外の３つの分割撮像画像のうち中間の輝度値を有する分割撮像画像を検出し、この中間の輝度値を有する分割撮像画像に基づいて情報を抽出することが好ましい。
【００１４】
さらに、情報埋め込み部は、分割画像の中央部の輝度値を変化させることで情報を構成する単位情報を画像内に埋め込むことが好ましい。あるいは、情報埋め込み部は、分割画像の輝度値を周期的に変化させることで、複数の単位情報からなる情報を画像内に埋め込むことが好ましい。さらに、通信部は、情報抽出部により得られた情報を変換してサーバに送信することが好ましい。
【００１５】
そして、情報埋め込み部は、表示画面を４つの領域を一単位とする複数の領域に分割し、単位毎に、提供すべき情報に基づいて、４分割された領域にそれぞれ表示する分割画像の輝度値または色差値の少なくとも一方を変化させることで、情報を構成する単位情報を画像内に埋め込むことが好ましい。
【００１６】
また、本発明は、表示画面に画像を表示する表示部を備え、表示画面を撮像する情報処理装置へ情報を提供する画像表示装置に適用される。そして、この画像表示装置に、表示画面を４つの領域に分割し、提供すべき情報に基づいて、４分割された領域にそれぞれ表示する分割画像の輝度値または色差値の少なくとも一方を変化させることで、情報を構成する単位情報を画像内に埋め込む情報埋め込み部を設けることで、上述した課題の少なくとも一つを解決している。
【００１７】
さらに、本発明は、表示画面に画像を表示する画像表示装置と、表示画面を撮像する情報処理装置とを用い、画像表示装置から情報処理装置へ情報を提供する情報提供方法に適用される。そして、表示画面を４つの領域に分割し、提供すべき情報に基づいて、４分割された領域にそれぞれ表示する分割画像の輝度値または色差値の少なくとも一方を変化させることで、情報を構成する単位情報を画像内に埋め込む工程と、単位情報が埋め込まれた画像を表示画面に表示する工程と、表示画面を撮像して撮像画像を得る工程と、表示画面を撮像して得られた撮像画像のうち、領域に対応する４つの分割撮像画像を比較し、比較結果に応じて単位情報を抽出して情報を得る工程とを設けることで、上述した課題の少なくとも一つを解決している。
【００１８】
そして、本発明は、表示画面に画像を表示する表示部を備え、表示画面を撮像する情報処理装置へ情報を提供するコンピュータにより実行されるプログラムに適用される。そして、このプログラムがコンピュータにより実行されると、表示画面を４つの領域に分割する工程と、提供すべき情報に基づいて、４分割した領域にそれぞれ表示する分割画像の輝度値または色差値の少なくとも一方を変化させることで、情報を構成する単位情報を画像内に埋め込む工程とをコンピュータに実行させることで、上述した課題の少なくとも一つを解決している。
【発明の効果】
【００１９】
以上説明したように、本発明の情報提供システムでは、画像表示装置の表示画面を４分割した領域に表示される分割画像の輝度値または色差値の少なくとも一方を変化させることで、情報を構成する単位情報を画像に埋め込んでいるので、単位情報が埋め込まれた画像をユーザが視聴していても、単位情報が埋め込まれていることをユーザが視認できる可能性は低い。これにより、ユーザによる画像鑑賞に大きな影響を与えることなく関連情報を送信することの可能な情報提供システム、画像表示装置、情報提供方法及びプログラムを提供することができる。
【００２０】
さらに、本発明の情報提供システムでは、領域に対応する分割撮像画像データを比較することにより情報を取得しているので、情報処理装置の撮像部の撮像能力が低い場合でも、画像表示装置から送信された情報を情報処理装置において簡易かつ確実に取得することができ、これにより、送信された関連情報を簡易な作業で取得することの可能な情報提供システム、画像表示装置、情報提供方法及びプログラムを提供することができる。
【図面の簡単な説明】
【００２１】
【図１】本発明の一実施形態である情報提供システムの概略構成を示すブロック図である。
【図２】一実施形態の情報提供システムに適用される画像表示装置の概略構成を示すブロック図である。
【図３】一実施形態の情報提供システムに適用される情報処理装置の概略構成を示すブロック図である。
【図４】一実施形態の情報提供システムの機能構成を示す機能ブロック図である。
【図５】一実施形態の情報提供システムに適用される画像表示装置の動作の一例を説明するためのフローチャートである。
【図６】一実施形態の情報提供システムに適用される情報処理装置の動作の一例を説明するためのフローチャートである。
【図７】一実施形態の情報提供システムにおける情報埋め込み手順の一例を説明するための図である。
【図８】一実施形態の情報提供システムにおける情報埋め込み手順の他の例を説明するための図である。
【図９】一実施形態の情報提供システムにおける情報埋め込み手順のまた他の例を説明するための図である。
【発明を実施するための形態】
【００２２】
（一実施形態）
以下、図面を参照して、本発明の情報提供システムの実施形態について説明する。図１は、本発明の一実施形態である情報提供システムの概略構成を示すブロック図である。この図において、１は本実施形態の情報提供システムであり、この情報提供システム１は、画像表示装置２及び情報処理装置３を備える。
【００２３】
画像表示装置２は表示画面２ａを備え、この表示画面２ａに画像を表示する。画像表示装置２は、例えばＴＶ等のディスプレイである。情報処理装置３は、画像表示装置２の表示画面２ａを撮像して撮像画像を取得する。情報処理装置３は、例えばデジタルスチルカメラである。画像表示装置２はネットワークケーブル６によりルータ４に接続されることでこれら画像表示装置２とルータ４との間で有線通信が可能に構成され、一方、情報処理装置３はルータ４との間で無線通信が可能に構成されている。これにより画像表示装置２及び情報処理装置３は、いずれもこのルータ４を経由して外部ネットワークであるインターネット５に接続可能にされている。インターネット５には外部サーバ７が接続されており、従って、画像表示装置２及び情報処理装置３はインターネット５を介して外部サーバ７との間で情報の送受信が可能である。
【００２４】
（画像表示装置の構成）
図２は、本実施形態の情報提供システム１に用いられる画像表示装置２の概略構成を示すブロック図である。図２において、本実施形態の画像表示装置２は、ＣＰＵ（Central Processing Unit）１０、ＲＯＭ（Read Only Memory）１１、ＲＡＭ（Random Access Memory）１２、入力インタフェース（Ｉ／Ｆ）１３、表示部１４、ＵＳＢ（Universal Serial Bus）インタフェース（Ｉ／Ｆ）１５、ＨＤＭＩ（High-Definition Multimedia Interface）インタフェース（Ｉ／Ｆ）１６、ネットワークインタフェース（Ｉ／Ｆ）１７及びＨＤＤ（Hard Disk Drive）部１８を備えており、これらは共通のバスにより互いに接続されている。
【００２５】
ＣＰＵ１０は、後述するＲＯＭ１１内に格納されたファームウェア等のプログラムが実行されることにより、画像表示装置２全体の制御を行う。また、ＣＰＵ１０は、ＲＯＭ１１内に格納されたプログラムが実行されることにより、図４に示すような各機能部としても動作する。図４に示す各機能部の動作については後述する。ＲＯＭ１１には、上述したファームウェア等のプログラムが格納されている。ＲＡＭ１２は画像表示装置２のワークメモリとして機能し、ＣＰＵ１０を含めた画像表示装置２の動作時に一時的に使用されるプログラム、データ等が格納される。
【００２６】
入力インタフェース１３には入力機器３０が接続され、ユーザが入力機器３０を操作することにより入力される入力信号を受信する。入力機器３０としては、例えばリモコン、キーボード、マウス等が挙げられる。
【００２７】
表示部１４は液晶ドライバ１４ａと液晶パネル１４ｂとを備える。液晶パネル１４ｂは、その表示面が画像表示装置２の表面に露出して設けられている。液晶ドライバ１４ａは、表示画面２ａを構成するデータがＣＰＵ１０からこの液晶ドライバ１４ａに供給されると、液晶パネル１４ｂの表示面に所望の表示画面２ａを表示するようにこの液晶パネル１４ｂを駆動する。
【００２８】
ＵＳＢインタフェース１５はＵＳＢコネクタ（図略）を備え、このＵＳＢコネクタに直接、あるいはＵＳＢケーブルを介して接続されたＵＳＢ機器３１に対してデータの読み出し／書き込みを行う。ＵＳＢ機器３１としては、ＵＳＢフラッシュメモリ、デジタルスチルカメラ等が挙げられる。
【００２９】
ＨＤＭＩインタフェース１６はＨＤＭＩコネクタ（図略）を備え、このＨＤＭＩコネクタにＨＤＭＩケーブル（図略）を介して接続されたＨＤＭＩ機器３２との間でＡＶストリーム（映像信号及び音声信号）の入出力動作をする。ＨＤＭＩ機器３２としては、例えば地上デジタルテレビ放送波等の番組データが録画可能な録画装置、地上デジタルテレビ放送波等が受信可能なチューナ装置等が挙げられる。
【００３０】
ネットワークインタフェース１７はネットワークコネクタ（図略）を備え、このネットワークコネクタにネットワークケーブル６を介してルータ４が接続され、このルータ４がインターネット５に接続されることで、外部ネットワークとの間でデータの送受信がされる。このネットワークインタフェース１７は、例えばＩＥＥＥ（The Institute of Electrical and Electronics Engineers, Inc.）８０２．３規格に基づく有線通信を行うものである。あるいは、ネットワークインタフェース１７は、ＩＥＥＥ８０２．１１規格に基づく無線通信を行うものであってもよく、あるいは、有線／無線通信のいずれも行うものであってもよい。
【００３１】
ＨＤＤ部１８は、ＨＤＤインタフェース（Ｉ／Ｆ）１８ａとＨＤＤ１８ｂとを備える。ＨＤＤ１８ｂは、記録媒体であるディスクと、このディスクの回転を行う回転部と、ディスクに対してデータの読み出し／書き込みを行うヘッド部とを備える（いずれも不図示）。ＨＤＤインタフェース１８ａは、このＨＤＤ１８ｂに対するデータの読み出し／書き込み指令があった場合に、ＨＤＤ１８ｂ全体の制御を行うとともに、データの読み出し／書き込み制御を行い、読み出されたデータを出力する。ＨＤＤ１８ｂには、情報処理装置３に対して送信、提供すべき送信用情報３３が格納されている。
【００３２】
（情報処理装置の概略構成）
図３は、本実施形態の情報提供システム１に用いられる情報処理装置３の概略構成を示すブロック図である。図３において、情報処理装置３は、ＣＰＵ２０、ＲＯＭ２１、ＲＡＭ２２、無線通信インタフェース（Ｉ／Ｆ）２３、撮像部２４、入力部２５及びＨＤＭＩインタフェース（Ｉ／Ｆ）２６を備え、これらは共通のバスにより互いに接続されている。
【００３３】
ＣＰＵ２０は、後述するＲＯＭ２１内に格納されたファームウェア等のプログラムが実行されることにより、情報処理装置３全体の制御を行う。また、ＣＰＵ２０は、ＲＯＭ２１内に格納されたプログラムが実行されることにより、図４に示すような各機能部としても動作する。図４に示す各機能部の動作については後述する。ＲＯＭ２１には、上述のファームウェア等のプログラムや、各種設定データが格納されている。ＲＡＭ２２は、情報処理装置３のワークメモリとして動作し、各種プログラム及びデータが一時的に格納される。
【００３４】
無線通信インタフェース２３は、例えばＩＥＥＥ８０２．１１規格に準拠して、ルータ４との間で無線通信を行う。この無線モジュール２３は、情報処理装置３をルータ４を経由して通信を行うクライアント装置として動作させることが可能である。
【００３５】
撮像部２４は、カメラモジュール２４ａと画像処理部２４ｂとを備える。カメラモジュール２４ａは撮像用光学系とこの撮像用光学系の制御駆動を行う駆動部とを有する（いずれも不図示）。撮像用光学系の光軸は情報処理装置３の外方に延び、この情報処理装置３の外部、特に画像表示装置２の表示画面２ａを撮像可能に構成されている。画像処理部２４ｂは、カメラモジュール２４ａにより撮像された被写体画像に対して各種画像処理動作を行い、最終的に撮像画像データを出力する。
【００３６】
入力部２５は、入力インタフェース（Ｉ／Ｆ）２５ａ、入力指示部２５ｂ及びＵＳＢインタフェース（Ｉ／Ｆ）２５ｃを備える。入力インタフェース２５ａには入力指示部２５ｂが接続され、ユーザが入力指示部２５ｂを操作することにより入力される入力信号を受信する。入力指示部２５ｂとしては、例えば情報取り込み指示ボタン等が挙げられる。ＵＳＢインタフェース２５ｃはＵＳＢコネクタ（図略）を備え、このＵＳＢコネクタに直接、あるいはＵＳＢケーブルを介して接続されたＵＳＢ機器３１に対してデータの読み出し／書き込みを行う。ＵＳＢ機器３１としては、ＵＳＢフラッシュメモリ等が挙げられる。
【００３７】
ＨＤＭＩインタフェース２６はＨＤＭＩコネクタ（図略）を備え、このＨＤＭＩコネクタにＨＤＭＩケーブル（図略）を介して接続されたＨＤＭＩ機器３２との間でＡＶストリーム（映像信号及び音声信号）の入出力動作をする。ＨＤＭＩ機器３２としては、例えばＴＶ、モニタ等が挙げられる。
【００３８】
（情報提供システムの機能構成）
次に、図４は、本実施形態の情報提供システム１の機能構成を示す機能ブロック図である。図４において、画像表示装置２は制御部４０、記憶部４１、入力部４２及び表示部１４を備え、情報処理装置３は制御部５０、撮像部２４及び通信部５１を備える。
【００３９】
制御部４０は、画像監視部４３、領域決定部４４及び情報埋め込み部４５を備える。画像監視部４３は、表示画面２ａを４分割した領域のそれぞれにその時点で表示される分割画像の輝度値、色差値を監視する。領域決定部４４は、画像監視部４３による監視結果に基づいて、情報埋め込み部４５により埋め込まれる単位情報を、表示画面２ａを４分割した領域のいずれに埋め込むかを決定する。より詳細には、領域決定部４４は、画像監視部４３による監視結果に基づいて、４分割された領域のうち１つの領域を基準領域として決定するとともに、基準領域以外の３つの領域に、好ましくはいずれか一つの領域に単位情報を埋め込むことを決定する。
【００４０】
情報埋め込み部４５は、記憶部４１に格納されている送信用情報３３に基づいて、領域決定部４４により決定された領域の分割画像の輝度値または色差値、好ましくは輝度値を変化させることで、単位情報を画像に埋め込む。より詳細には、情報埋め込み部４５は、領域決定部４４により決定された基準領域以外の３つの領域、好ましくはいずれか一つの領域の分割画像の輝度値または色差値、好ましくは輝度値を変化させることで、単位情報を画像に埋め込む。さらに詳細には、情報埋め込み部４５は、領域決定部４４により決定された基準領域以外の３つの領域、好ましくはいずれか一つの領域の分割画像の輝度値を変化させる際に、この分割画像の中央部の輝度値を変化させることで、単位情報を画像に埋め込む。さらに詳細には、情報埋め込み部４５は、領域決定部４４により決定された基準領域以外の３つの領域、好ましくはいずれか一つの領域の分割画像の輝度値を周期的に変化させることで、複数の単位情報からなる情報を画像内に埋め込む。これら画像監視部４３、領域決定部４４及び情報埋め込み部４５の詳細な動作については後述する。
【００４１】
記憶部４１は各種情報を少なくとも一時的に格納するとともに、情報処理装置３に送信、提供すべき送信用情報３３を格納する。本実施形態においては、後述のように送信用情報３３が情報処理装置３に送信されるとこの情報処理装置３が受信した情報を外部サーバ７に送信し、この外部サーバ７は受信した情報に対応する付加情報を情報処理装置３に返信する。従って、送信用情報３３は、外部サーバ７がそれぞれの送信用情報３３を一意に認識可能な情報であればよく、例えば、一定長の符号列（ビット列）であってもよいし、所定の大きさを有する画像を構成するデータであってもよい。当然、送信用情報３３の長さ及び構成に限定はなく、既知の構成の情報が好適に採用可能である。
【００４２】
入力部４２は、画像表示装置２に入力された情報、特に、表示部１４の表示画面２ａに表示すべき画像データの入力を受け入れ、これを制御部４０及び記憶部４１に送出する。表示部１４は、制御部４０及び記憶部４１から表示部１４に入力された画像データに基づき、その表示画面２ａに画像を表示する。この、表示部１４により表示画面２ａに表示される画像は、制御部４０の情報埋め込み部４５により単位情報が埋め込まれた画像である。
【００４３】
制御部５０は、領域判定部５２及び情報抽出部５３を備える。領域判定部５２は、撮像部２４により撮像された撮像画像に基づき、画像表示装置２の表示画面２ａを４分割した領域のいずれが基準領域であるかを判定する。より詳細には、領域判定部５２は、撮像部２４が出力する撮像画像のうち、画像表示装置２の表示画面２ａを４分割した領域に対応する４つの分割撮像画像の輝度値または色差値、好ましくは輝度値の変化を検出することで基準領域に対応する分割撮像画像を判定する。
【００４４】
情報抽出部５３は、領域判定部５２の判定結果に基づき、撮像部２４が出力する撮像画像のうち、画像表示装置２の表示画面２ａを４分割した領域に対応する４つの分割撮像画像を比較し、比較結果に応じて単位情報を抽出して情報を得る。より詳細には、情報抽出部５３は、領域判定部５２により判定された、基準領域に対応する分割撮像画像の輝度値または色差値、好ましくは輝度値の変化に基づいて単位情報を抽出して情報を得る。さらに詳細には、情報抽出部５３は、領域判定部５２により判定された、基準領域に対応する分割撮像画像を基準として、それ以外の３つの分割撮像画像のうち中間の輝度値を有する分割撮像画像を検出し、この中間の輝度値を有する分割撮像画像に基づいて情報を抽出する。これら領域判定部５２及び情報抽出部５３の詳細な動作については後述する。
【００４５】
撮像部２４は、画像表示装置２の表示画面２ａを撮像して撮像画像を制御部５０に出力する。通信部５１はルータ４と無線通信が可能に構成され、情報抽出部５３により抽出した情報をルータ４経由でインターネット５に存在する外部サーバ７に送信し、外部サーバ７がこの情報に対応する付加情報を送信するとこれを受信する。さらに、通信部５１は、情報抽出部５３により得られた情報を変換して外部サーバ７に送信することもある。
【００４６】
以上の構成において、制御部４０は主にＣＰＵ１０により構成され、記憶部４１は主にＲＯＭ１１、ＲＡＭ１２及びＨＤＤ部１８により構成され、入力部４２は主にＨＤＭＩインタフェース１６により構成され、制御部５０は主にＣＰＵ２０により構成され、通信部５２は主に無線通信インタフェース２３により構成される。
【００４７】
（情報提供システムの動作）
次に、図５及び図６のフローチャートにより、本実施形態の情報提供システムの動作について説明する。
【００４８】
図５は、本実施形態の情報提供システムに用いられる画像表示装置２の動作を説明するためのフローチャートである。図５のフローチャートに示す動作は、画像表示装置２により情報処理装置３に対して情報送信動作を行うときに開始される。
【００４９】
まず、ステップＳ１では、画像表示装置２の制御部４０が、記憶部４１に格納されている送信用情報３３のうち、今回の動作において送信すべき送信用情報３３を選択し、記憶部４１から読み出す。次いで、ステップＳ２では、制御部４０が、ステップＳ１で選択した送信用情報を符号化する。本実施形態では、後述のように「０」「１」からなる２進法の符号列が情報として情報処理装置３に送信される。そして、「０」「１」の符号のそれぞれが、情報を構成する単位情報となる。送信用情報３３を符号化する手法は任意であり、既知の符号化手法が好適に採用可能である。なお、送信用情報３３が符号列（ビット列）から構成されている場合は、ステップＳ２の動作を省略してもよい。
【００５０】
次に、ステップＳ３では、制御部４０の画像監視部４３が入力部４２に入力された、表示部１４の表示画面２ａに表示すべき画像データを監視し、領域決定部４４が、画像監視部４３の監視結果に基づいて、単位情報たる符号を埋め込むべき領域を決定する。
【００５１】
本実施形態の画像表示装置２では、後述のように、制御部４０の情報埋め込み部４５が、表示画面２ａを４分割した領域のいずれかに表示される分割画像に単位情報を埋め込む。領域分割及び領域決定の詳細について図７を参照して説明する。図７に示すように、本実施形態の画像表示装置２の画像監視部４３は、表示画面２ａを４分割した４つの領域６０に表示される４つの分割画像６１の輝度値、色差値の少なくとも一方を監視する。そして、領域決定部４４は、画像監視部４３が監視した４つの分割画像６１の輝度値、色差値の少なくとも一方に基づき、単位情報埋め込みに適した分割画像６１が表示されている１つの領域６０を決定する。
【００５２】
領域決定部４４による領域６０決定手法は任意であるが、一例として、情報埋め込み部４５が分割画像６１の輝度値を変化させることで単位情報を埋め込む場合、分割画像６１全体の輝度値が一様であって、輝度値を変化させてもユーザがその輝度値変化を視認しにくいような分割画像６１が表示されている領域６０を選択する手法が好適に挙げられる。また、情報埋め込み部４５が分割画像６１の色差値を変化させることで単位情報を埋め込む場合は、逆に、分割画像６１全体での色差値の変化が大きく、色差値を変化させてもユーザがその色差値変化を視認しにくいような分割画像６１を選択する手法が好適に挙げられる。
【００５３】
次いで、ステップＳ４では、制御部４０の情報埋め込み部４５が、領域決定部４４により決定された領域６０に単位情報を埋め込む。領域決定部４４による単位情報埋め込みの詳細について、図７及び図８を参照して説明する。図７に示すように、領域決定部４４により決定された、単位情報埋め込みに適した分割画像６１が表示されている１つの領域６０は図中右上の領域であるとする。情報埋め込み部４５は、残りの３つの領域６０のうち、情報処理装置３による単位情報読み取りの際に基準となる基準領域（図７に示す例では左上の領域６０）を決定し、この基準領域６０に表示される分割画像６１の輝度値、色差値のいずれも変化させない旨決定する。次いで、情報埋め込み部４５は、基準領域６０以外の３つの領域（図７に示す例では右上、及び右下、左下の領域６０）に表示される分割画像６１の輝度値、色差値の少なくとも一方を変化させる旨決定する。この時、輝度値、色差値の変化の度合いは、単位情報を埋め込む領域（図７に示す例では右上の領域６０）の分割画像６１の輝度値、色差値の少なくとも一方を中間として、残りの２つの領域に表示される分割画像６１の輝度値、色差値の少なくとも一方を変化させる。図７は輝度値を変化させる例であり、この場合、一方（図７に示す例では左下の領域６０）に表示される分割画像６１の輝度値を高くし、他方（図７に示す例では右下の領域６０）に表示される分割画像６１の輝度値を低くする旨決定する。色差値を変化させる場合も、いずれか一方の領域６０に表示される分割画像６１の色差値を高くし、他方に表示される分割画像６１の色差値を低くする旨決定する。これら２つの領域６０に表示される分割画像６１の輝度値、色差値の少なくとも一方をどの程度変化させるかについては、情報処理装置３における単位情報読取の精度等を考慮して予め定めておく。
【００５４】
図７に示す例では、分割画像６１の輝度値を変化させるものであり、基準領域６０以外の３つの領域６０に表示される分割画像６１の輝度値の順に並べると、
右下の領域６０＞右上の領域６０（単位情報埋め込み領域）＞左下の領域６０
となる。なお、基準領域６０及びそれ以外の３つの領域６０に表示される分割画像６１の輝度値、色差値の大小関係は後述の規則により定まる。
【００５５】
さらに、情報埋め込み部４５は、埋め込むべき単位情報を、次の規則に従って埋め込む。すなわち、
・ｍ＞ｎ：符号「０」
・ｍ＜ｎ：符号「１」
・ｍ＝ｎ：不定
ここに、ｍ：基準領域６０に表示される分割画像６１の輝度値、色差値の少なくとも一方
ｎ：単位情報を埋め込むべき領域６０に表示される分割画像６１の輝度値、色差値の少なくとも一方
となるように、埋め込むべき単位情報の符号に基づいて、単位情報を埋め込むべき領域６０に表示される分割画像６１の輝度値、色差値の少なくとも一方を変化させる旨決定する。加えて、情報処理装置３における単位情報読取の精度等を考慮して、｜ｎ｜−｜ｍ｜（ここに｜ｘ｜はｘの絶対値を示す）の値も事前に定めておく。これにより、単位情報を埋め込むべき領域６０に表示される分割画像６１の輝度値、色差値の絶対値が定まり、従って、残りの２つの領域６０の輝度値、色差値の絶対値も定まる。
【００５６】
さらに、情報埋め込み部４５は、上述した手順に則って定まった、基準領域以外の領域６０に表示される分割画像６１に対して変化させるべき輝度値、色差値の少なくとも一方を変化させることで、領域６０の分割画像６１に単位情報を埋め込む。ここで、画像が動画像であった場合、分割画像６１の画素単位でみればその輝度値、色差値は刻々と変化しているため、輝度値、色差値の変化は、画素単位の輝度値、色差値の変化ではなく、分割画像６１の一定領域における輝度値等の変化であることが好ましい。特に、輝度値を変化させることで単位情報を分割画像６１に埋め込む場合、領域６０の略中央に変化させる変化領域６２を設定し、この変化領域６２の周辺から中心に向かうに従って輝度値が緩やかに変化するように、分割画像６１の輝度値を変化させることが好ましい。このように輝度値を変化させると、分割画像６１の輝度値が変化したことをユーザが視認しにくい効果がある。変化領域５２の周辺から中心に向かうに従って輝度値を緩やかに変化させる手法は任意であるが、一例として、単位情報を埋め込むべき領域６０に対して、変化領域６２及びその周辺の輝度値変化をもたらすような２次元デジタルフィルタを用意し、領域６０に表示される分割画像６１との相関演算を行うような手法が好適に挙げられる。
【００５７】
そして、情報埋め込み部４５は、分割画像６１の輝度値または色差値の少なくとも一方を周期的に変化させることで、送信すべき送信用情報３３を構成する単位情報の全てについて、上述した手順により分割画像６１に埋め込む。送信用情報３３を構成する符号列と輝度値、色差値の変化との関係を図９を参照して説明する。図９において、送信用情報３３を構成する符号列６３は図示のようなものであったとする。図９の右側は、輝度値または色差値を変化させる時間単位６４の列を示す。この時間単位６４は、情報処理装置３による情報読み取り性能、情報送信速度、及びユーザが輝度値、色差値をできるだけ視認できないようにするといった観点から定められ、一例として０．１〜１秒に設定される。好ましくは、この時間単位６４は画像表示のためのフレームが複数含まれる。情報埋め込み部４５は、送信用情報３３を構成する符号列６３に基づいて、時間単位６４毎に分割画像６１の輝度値、色差値の少なくとも一方を変化させることで単位情報たる符号を分割画像６１に埋め込む。輝度値、色差値の少なくとも一方が変化している時間を実線６５にて示す。ここで、同じ符号が連続する場合は、個々の符号を識別するために輝度値、色差値を変化させない仕切り時間６６を設ける。この時、上述の式を用いれば、ｍ＝ｎである。一方、異なる符号に移行する場合は、仕切り時間６６を設けることなく次の符号を埋め込むことで連続的に輝度値、色差値が変化する。図９の例では符号列「１０１」の「１」から「０」に移行する場面において、仕切り時間６６を設けることなく次の符号を埋め込んでいる。また、符号列「０」から「１」に移行する場面において仕切り時間６６を設けることなく次の符号を埋め込むことも可能である。仕切り時間６６を設けることなく次の符号を埋め込むことにより、送信用情報３３をより短時間で送信することが可能になる。
【００５８】
そして、ステップＳ５では、表示部１４から情報埋め込み部４５により単位情報が埋め込まれた画像データが出力され、その表示画面２ａに単位情報が埋め込まれた画像が表示される。この後、図５のフローチャートに示す動作が終了する。
【００５９】
次に、図６は、本実施形態の情報提供システムに用いられる情報処理装置３の動作を説明するためのフローチャートである。図６のフローチャートに示す動作は、ユーザが画像表示装置２の表示画面２ａに表示される画像から情報を入手するために、ユーザが情報処理装置３の入力指示部２５ｂ等を操作することで開始される。
【００６０】
まず、ステップＳ１０では、情報処理装置３の撮像部２４により画像表示装置２の表示画面２ａを撮像する動作が開始される。撮像部２４により撮像された画像表示装置２の表示画面２ａの撮像画像データは制御部５０に入力される。
【００６１】
次いで、ステップＳ１１では、情報処理装置３の制御部５０の領域判定部５２が、撮像部２４からの出力である撮像画像データに基づいて、この撮像画像データのいずれかの場所において輝度値、色差値の少なくとも一方が変化したか否かを監視し、輝度値、色差値の少なくとも一方が変化したと判定された（ステップＳ１１においてＹＥＳ）場合、プログラムはステップＳ１２に移行する。
【００６２】
ここで、画像が動画像であった場合、撮像画像データの画素単位でみればその輝度値、色差値は刻々と変化しているため、ステップＳ１１における輝度値、色差値変化検出は、画素単位の輝度値、色差値の変化ではなく、撮像画像データ全体における輝度値等の変化の検出であることが好ましい。例えば、撮像画像データの輝度値、色差値の加算値または平均値を算出し、この加算値または平均値の変化を検出するような手法が挙げられる。特に、上述したステップＳ４における輝度値等の変化周期は比較的緩やか（上述の例では０．１〜１秒）であるので、この変化周期に応じた変化の検出であることが好ましい。
【００６３】
次いで、ステップＳ１２では、領域判定部５２が、撮像画像データの中から、画像表示装置２が定めた基準領域を検出する。すなわち、領域判定部５２は、撮像部２４が表示画面２ａを撮像して出力した撮像画像データを４分割して４つの分割撮像画像データを取得し、この４つの分割撮像画像データのうち、輝度値、色差値のいずれも変化がない分割撮像画像データを基準領域として検出する。画像表示装置２が単位情報を埋め込む場合、上述のステップＳ４で説明したように、基準領域以外の領域６０の分割画像６１の輝度値、色差値の少なくとも一方は変化しているので、輝度値、色差値のいずれも変化していない分割撮像画像データを検出することにより基準領域を検出することができる。
【００６４】
次いで、ステップＳ１３では、情報抽出部５３が、ステップＳ１２における領域判定部５２の判定結果に基づき、基準領域６０に対応する分割撮像画像データ以外の３つの分割撮像画像データの輝度値、色差値の少なくとも一方をそれぞれ算出して、３つの分割撮像画像データの輝度値、色差値の少なくとも一方を比較することで、単位情報が埋め込まれている分割撮像画像データを特定する。単位情報が埋め込まれている分割撮像画像データがいずれであるかは、ステップＳ４において説明した単位情報埋め込み手順に則って行う。すなわち、ステップＳ１１の検出動作により、輝度値、色差値のいずれかまたは双方が変化しているかを判定することができるので、３つの分割撮像画像データの輝度値、色差値のうち変化があった値について比較し、変化があった輝度値、色差値のいずれかまたは双方の値のうち中間の値を取った分割撮像画像データを、単位情報が埋め込まれている分割撮像画像データであるとして特定する。
【００６５】
次いで、ステップＳ１４では、情報抽出部５３が、ステップＳ１３において特定された、単位情報が埋め込まれている分割撮像画像データと基準領域に対応する分割撮像画像データとを比較することで、単位情報たる符号を抽出する。すなわち、情報抽出部５３は、ステップＳ１１において検出された、輝度値、色差値のうち変化が検出された値について、単位情報が埋め込まれている分割撮像画像データの値と基準領域に対応する分割撮像画像データの値とを比較し、その大小関係に応じて埋め込まれた単位画像たる符号を決定する。
【００６６】
ステップＳ１５では、領域判定部５２が、撮像部２４からの出力である撮像画像データを監視し、ステップＳ１１において検出した輝度値、色差値変化が終了したか否かを判定する。そして、撮像画像データにおいて輝度値、色差値変化が終了したと判定した（ステップＳ１５においてＹＥＳ）場合はプログラムはステップＳ１６に移行し、輝度値、色差値変化が継続していてまだ終了していないと判定した（ステップＳ１５においてＮＯ）場合はプログラムはステップＳ１２に戻り、引き続きステップＳ１２〜ステップＳ１４に示す単位情報抽出動作を継続する。
【００６７】
ステップＳ１６では、情報抽出部５３が、上述のステップＳ１２〜ステップＳ１４に示す単位情報抽出動作で抽出された単位情報たる符号から符号列たる情報を構築する。次いで、ステップＳ１７では、情報処理装置３の通信部５２が、ステップＳ１６で構築された情報を外部サーバ７に送出する。そして、ステップＳ１８では、ステップＳ１７で送出された情報に基づいて外部サーバ７で生成された付加情報を外部サーバ７から受信し、図６のフローチャートに示す動作を終了する。外部サーバ７から受信した付加情報は、一例として、画像中に被写体として撮像されている店舗のＵＲＬ、店舗の地図データ、さらには被写体として撮像されているキャラクタの画像データ等である。
【００６８】
（一実施形態の効果）
以上説明したように、本実施形態の情報提供システム１によれば、画像表示装置２から情報処理装置３に向けて情報を提供することができる。ここで、本実施形態の情報提供システム１では、画像表示装置２の表示画面２ａを４分割した領域６０に表示される分割画像６１の輝度値または色差値の少なくとも一方を変化させることで、情報を構成する単位情報を画像に埋め込んでいる。輝度値または色差値の変化はユーザにとって視認しづらいので、本実施形態の情報提供システム１のように、分割画像６１の輝度値または色差値の少なくとも一方を変化させることで単位情報が埋め込まれた画像をユーザが視聴していても、単位情報が埋め込まれていることをユーザが視認できる可能性は低い。これにより、ユーザによる画像鑑賞に大きな影響を与えることなく情報を画像表示装置２から情報処理装置３に送信することが可能となる。
【００６９】
加えて、本実施形態の情報提供システム１では、表示画面２ａを４分割した領域６０に表示される分割画像６１のうち、領域決定部４４により単位情報埋め込みに適した領域６０を決定し、この領域６０に表示される分割画像６１の輝度値または色差値の少なくとも一方を変化させることで単位情報をこの分割画像６１に埋め込んでいるので、ユーザによる画像鑑賞に大きな影響を与えることなく情報を画像表示装置２から情報処理装置３に送信することができるという効果をさらに奏することができる。
【００７０】
特に、分割画像６１の色差値を変化させるよりも輝度値を変化させたほうが、ユーザがその変化をより視認しづらいため、ユーザによる画像鑑賞に大きな影響を与えることなく情報を画像表示装置２から情報処理装置３に送信するという観点からすると、分割画像６１の輝度値を変化させることで単位情報を埋め込むことがより好ましい。
【００７１】
さらに、本実施形態の情報提供システム１では、表示画面２ａを４分割した領域６０のうちいずれか一つの領域を基準領域とし、それ以外の領域６０の個々に表示される分割画像６１の輝度値または色差値の少なくとも一方をそれぞれ違う値に変化させることで、単位情報が埋め込まれた分割画像６１がある領域６０を特定させているので、仮に４分割した領域６０のうち一つの領域６０に表示される分割画像６１のみの輝度値または色差値の少なくとも一方を変化させる場合に比較して、単位情報が埋め込まれた分割画像６１がある領域６０を簡易に特定することができる。これにより、情報処理装置３が、画像表示装置２から送信された情報を簡易かつ確実に取得することが可能となる。特に、本実施形態によれば、撮像画像データを４分割した分割撮像画像データを比較することにより送信された情報を取得しているので、撮像能力が低い、例えば解像度が低い、画素数が少ない撮像部２４を用いても、画像表示装置２から送信された情報を情報処理装置３において簡易かつ確実に取得することができるという効果をさらに奏することができる。
【００７２】
（変形例）
なお、本発明の情報提供システムは、その細部が上述した一実施形態に限定されず、種々の変形例が可能である。一例として、上述した基準領域６０は一つの情報提供動作中に４つの領域６０のいずれか一つに固定してもよく、あるいは、一つの単位情報を画像表示装置２から情報処理装置３に送出する度に基準領域６０となる領域６０を異ならせてもよい。このように、単位情報毎に基準領域６０となる領域６０を異ならせた場合、単位情報を埋め込む分割画像６１が表示される領域６０も単位情報毎に異なる領域６０となるため、上述の一実施形態で説明した仕切り時間６６を設けることなく連続的に単位情報の送出が可能になる。一方、基準領域６０を予めいずれか一つの領域に固定しておく場合、情報処理装置３に姿勢検出手段、例えば加速度センサ等を設け、画像表示装置２と情報処理装置３との間の相対的位置関係を検出することで、基準領域６０を即時に検出することができる。あるいは、分割画像６１のうち基準領域６０に対応する分割画像６１に特定のマーカ画像を重畳表示してもよく、この場合、領域判定部５２が基準領域６０を即時に検出することができる。
【００７３】
また、上述した基準領域６０を一つの情報提供動作中において４つの領域６０のいずれか一つに固定した場合でも、輝度値、色差値を変化させる残りの３つの領域６０のうち単位情報埋め込み領域をいずれにするかを、埋め込むべき符号単位で変化させれば、上述の一実施形態で説明した仕切り時間６６を設けることなく連続的に単位情報の送出が可能になる。
【００７４】
また、上述の一実施形態では、情報処理装置３に送信された情報を通信部５２から外部サーバ７に送信していたが、外部サーバ７に送信、提供する情報の情報量を増加させる意図で、情報処理装置３の情報検出部５４が、画像表示装置２から送信された情報をこの情報のビット長より長いビット長を有する変換情報に変換して送信してもよい。一例として、画像表示装置２から送信された情報に対してハッシュ値を算出し、このハッシュ値を変換情報として外部サーバ７に送信してもよい。
【００７５】
さらに、上述の一実施形態では、表示画面２ａを４分割した領域６０に表示される分割画像６１の輝度値または色差値の少なくとも一方を不連続的に変化させていたが、分割画像６１の輝度値または色差値の少なくとも一方を連続的に変化させてもよい。一例として、表示画面２ａを４分割した領域６０に表示される分割画像６１の輝度値または色差値の少なくとも一方を周期的かつ連続的に変化させる。この際、基準領域６０に表示される分割画像６１の輝度値、色差値の変動の周波数と、それ以外の３つの領域に表示される分割画像６１の輝度値、色差値の変動の周波数との差を、上述の一実施形態で説明した輝度値、色差値の絶対値の差に置き換えれば、上述の一実施形態と同様に単位情報を情報処理装置３に提供することが可能になる。あるいは、周波数は同一であっても、輝度値、色差値の変動の位相差を持たせてもよい。このような構成にすると、情報処理装置３において撮像画像データをどの位置で分割撮像画像データに分割するかの検出動作、さらには、情報処理装置３の撮像部２４の光軸が画像表示装置２の表示画面２ａの法線と一致しないために撮像画像データが歪んでしまった場合の台形補正動作を行うことなく、撮像画像データ全体において輝度値、色差値の変動の周波数、位相差を幾つかの代表領域で検出すれば埋め込まれた単位情報を確実に検出することが可能になる。加えて、輝度値、色差値の変動の振幅の絶対値を小さくしても、情報処理装置３が確実に単位情報を検出することが可能であるので、ユーザによる画像鑑賞に大きな影響を与えることなく情報を画像表示装置２から情報処理装置３に送信することができるという効果をさらに奏することができる。
【００７６】
さらに、上述の一実施形態では、表示画面２ａを４分割して得られた領域６０に表示される分割画像６１の輝度値または色差値の少なくとも一方を変化させていたが、表示画面２ａを分割して得られる領域６０の個数は、４の倍数であれば制限はない。そして、４つの領域を一単位として、この単位毎に単位情報を埋め込むことにより、１つの画像を用いて複数の情報を並行して情報処理装置３に提供することが可能になる。
【００７７】
そして、上述の一実施形態において、画像表示装置２、情報処理装置３等を動作させるプログラムはＲＯＭ１１、２１等に格納されて提供されていたが、不図示の光学ディスクドライブ、ＵＳＢインタフェース１５、２５ｃ等を用いて、プログラムが格納されたＤＶＤ（Digital Versatile Disc）、ＵＳＢフラッシュメモリ装置等を接続し、このＤＶＤ等からプログラムを画像表示装置２等に読み込んでこれら画像表示装置２等を動作させてもよい。また、インターネット５上の装置内にプログラムを格納しておき、ネットワークインタフェース１７、無線通信インタフェース２３等を介してこのプログラムを画像表示装置２等に読み込んでこれら画像表示装置２等を動作させてもよい。さらに、上述の一実施形態において、画像表示装置２等は複数のハードウェア要素により構成されていたが、これらハードウェア要素の一部の動作をＣＰＵ１０、２０等がプログラムの動作により実現することも可能である。
【符号の説明】
【００７８】
１    情報提供システム
２    画像表示装置
２ａ  表示画面
３    情報処理装置
４    ルータ
５    インターネット
７    外部サーバ
１０、２０  ＣＰＵ
１１、２１  ＲＯＭ
１２、２２  ＲＡＭ
１３、２５ａ  入力インタフェース
１４    表示部
１５、２５ｃ  ＵＳＢインタフェース
１６、２６  ＨＤＭＩインタフェース
１７    ネットワークインタフェース
１８    ＨＤＤ部
２３    無線通信インタフェース
２４    撮像部
２５、４２  入力部
２５ｂ  入力指示部
３０    入力機器
３１    ＵＳＢ機器
３２    ＨＤＭＩ機器
３３    送信用情報
４０、５０  制御部
４１    記憶部
４３    画像監視部
４４    領域決定部
４５    情報埋め込み部
５１    通信部
５２    領域判定部
５３    情報抽出部
６０    領域
６１    分割画像
６２    変化領域
６３    符号列
６４    時間単位
６６    仕切り時間
【図１】
2014131195.tif 000003
【図２】
2014131195.tif 000004
【図３】
2014131195.tif 000005
【図４】
2014131195.tif 000006
【図５】
2014131195.tif 000007
【図６】
2014131195.tif 000008
【図７】
2014131195.tif 000009
【図８】
2014131195.tif 000010
【図９】
2014131195.tif 000011